(57)【要約】【課題】基板への、ガスカートリッジが収容された容器の固定が必ずしも十分でなく、衝撃で容器が基板から外れることがあった。【解決手段】容器に押し具を被せて容器を基板に固定するようにし、基板に、容器を載せる支持台を形成し、支持台に容器の底面側をセット可能な嵌合部を形成し、嵌合部の両外側に止め部を形成し、、嵌合部に容器のガス噴出口と連通するガス通口を開口し、止め部を肉厚に形成して嵌合部よりも上方まで突出させ、止め部にネジ穴を形成し、押し具には容器の外周に被せる湾曲部を形成し、湾曲部の両外側に止め穴を形成し、基板の裏面に基板のガス通口から流れ込むガスを二方向以上に分岐するガス分岐器を配置するガス分岐器配置部を形成した。【選択図】　図１
2004105620.tif 000002
【特許請求の範囲】
【請求項１】
一端が閉塞され、他端が開口された筒状であり、内部にガスカートリッジ、摺動具、摺動具を押すスプリング、撃針等を収容可能な収容部が形成された容器と、容器の開口部を閉じる蓋と、容器を取付ける基板と、容器の外周に被せて容器を基板に止める押し具とを備え、容器は裏側にガス噴出口が、外周面に係止具差込み口が開口され、基板には容器を載せる支持台が形成され、支持台には容器の底面側をセット可能な嵌合部と、嵌合部の両外側に形成された止め部とがあり、嵌合部には容器のガス噴出口と連通するガス通口が開口され、止め部は肉厚に形成されて嵌合部よりも上方まで突出し、止め部にネジ穴が形成され、押し具には容器の外周に被せる湾曲部が形成され、湾曲部の両外側に止め穴が形成され、基板の裏面に基板のガス通口から流れ込むガスを二方向以上に分岐するガス分岐器を配置するガス分岐器配置部が形成されたことを特徴とガス発生装置用ケース。
【請求項２】
請求項１記載のガス発生装置用ケースにおいて、基板の裏面にガス分岐器により分岐されたガスを外部に導出するパイプを配置するパイプ配置部が形成されたことを特徴とするガス発生装置用ケース。
【請求項３】
請求項１又は請求項２記載のガス発生装置用ケースにおいて、基板の裏面に弾性材が取付けられ、弾性材の内側にパイプ配管部が形成されたことを特徴とするガス発生装置用ケース。
【請求項４】
請求項１乃至請求項３のいずれかに記載のガス発生装置用ケースにおいて、基板に救命具に装着可能な装着部が形成されたことを特徴とするガス発生装置用ケース。
【請求項５】
請求項１乃至請求項４のいずれかに記載のガス発生装置用ケースの容器の収容部内に、摺動具に装着されて摺動具と共に収容部内を移動可能なガスカートリッジ、摺動具を押すスプリング、撃針が収容され、容器の外から容器の係止具差込み口内に球状の係止具が差込まれ、係止具が摺動具の係止凹部に嵌合して摺動具が容器に係止され、容器の開口部が蓋で閉塞され、容器を基板の支持台の嵌合部にセットして容器のガス噴出口と基板のガス通口とを位置合わせし、その容器の外周に押し具の湾曲部を被せ、押し具の止め穴から基板の支持台の止め部のネジ穴にネジをネジ込んで容器を基板に固定し、基板の裏面の分岐器配置部に、ガス通口から流れ込むガスを二方向以上に分岐する分岐器を配置固定し、前記係止具が摺動具の係止凹部から離脱されると摺動具がスプリングで押されて摺動してガスカートリッジも摺動し、ガスカートリッジに容器の収容部内の撃針が突き刺さってガスカートリッジ内のガスが噴出するようにしたことを特徴とするガス発生装置。
【発明の詳細な説明】
【０００１】
【発明の属する技術分野】
本発明のガス発生装置用のケースと、そのケースにガス発生機材が収容されたガス発生装置に関する。このガス発生装置は、例えば、オートバイや自動車のレーサーが着用するジャケットに収容しておいて、緊急時に、自動的に、瞬時にガスを発生させてジャケットを膨らませて身体を保護できるようにするものである。また、本発明のガス発生装置は前記ジャケットに限らず、救命胴衣、救命ボート、救命浮き輪などの各種救助、救命用具にガスを送り込んでそれらを膨らませて救助、救命に使用できるものでもある。
【０００２】
【従来の技術】
オートバイや自動車が転倒したときに、レーサーが着用しているジャケットに瞬時（１秒以下）にガスを充填してジャケットを膨らませ、レーサーの身体を防護できるようにしたガス発生装置が従来からある。
【０００３】
このガス発生装置は長さ数ｃｍ〜十数ｃｍのガスボンベが硬質樹脂製の筒状の容器内に収容され、その容器をジャケットのポケットや収納部に収納して固定し、ガスボンベの球状のピンから引き出されているワイヤをオートバイや自動車など（以下「乗物」という）に連結し、走行中に乗物が転倒してドライバが落車したり投げ出されたりすると、ワイヤが強く引かれてピンが自動的に抜けてガスボンベからガスが発生し、ガスがジャケット内に配管されている樹脂製のホースを通してジャケットのガス袋に充填され、それによりジャケットが膨らんで、乗物から放り出されたドライバがジャケットで保護されるようにしてある。
【０００４】
前記ガス発生装置のケースは基板にネジ止めされ、その基板をジャケットに縫い付けてあるベルトに装着することにより、ジャケットから外れないようにジャケットに固定してある。容器を基板にネジ止めするに当たっては、容器のガス噴出口と基板のガス流出口とを位置合わせして、容器内のガスボンベから発生したガスが容器のガス噴出口穴から基板のガス流出口に流出し、基板の裏面に配管されているホースに供給され、ホースからジャケットのガス袋内にガスが供給される構造になっている。
【０００５】
【発明が解決しようとする課題】
従来のガス発生装置では、容器を基板にネジ止めする際に、容器のガス噴出口と基板のガス流出口とを位置合わせしにくかった。また、基板にネジ止めしてある容器がガス発生時の衝撃で外れ易く、外れると容器のガス噴出口と基板のガス流出口とが位置ずれしてガスがジャケットに確実に供給されず、ジャケットの膨らみが不十分であったり、全く膨らまなかったりすることがあり、ジャケットが身体保護の機能を十分に果たし得ないこともあった。
【０００６】
本発明の目的は、ケースのガス噴出口と基板のガス流出口との位置合わせが容易で、基板にネジ止めしてある容器がガス発生時の衝撃でも外れないガス発生装置用ケースと、そのケースを利用したガス発生装置を提供することにある。
【０００７】
【課題を解決するための手段】
本発明のガス発生装置用ケースは、一端が閉塞され、他端が開口された筒状であり、内部にガスカートリッジ、摺動具、摺動具を押すスプリング、撃針等を収容可能な収容部が形成された容器と、容器の開口部を閉じる蓋と、容器を取付ける基板と、容器の外周に被せて容器を基板に止める押し具とを備え、容器は裏側にガス噴出口が、外周面に係止具差込み口が開口され、基板には容器を載せる支持台が形成され、支持台には容器の底面側をセット可能な嵌合部と、嵌合部の両外側に形成された止め部とがあり、嵌合部には容器のガス噴出口と連通するガス通口が開口され、止め部は肉厚に形成されて嵌合部よりも上方まで突出し、止め部にネジ穴が形成され、押し具には容器の外周に被せる湾曲部が形成され、湾曲部の両外側に止め穴が形成され、基板の裏面に基板のガス通口から流れ込むガスを二方向以上に分岐するガス分岐器を配置するガス分岐器配置部が形成されている。前記基板の裏面にガス分岐器により分岐されたガスを外部に導出するパイプを配置するパイプ配置部が形成されている。前記裏面に弾性材が取付けられ、弾性材の内側にパイプ配管部が形成されている。基板に、救命具に装着可能な装着部が形成されている。
【０００８】
本発明のガス発生装置は、前記ガス発生装置用ケースの容器の収容部内に、摺動具に装着されて摺動具と共に収容部内を移動可能なガスカートリッジ、摺動具を押すスプリング、撃針が収容され、容器の外から容器の係止具差込み口内に球状の係止具が差込まれ、係止具が摺動具の係止凹部に嵌合して摺動具が容器に係止され、容器の開口部が蓋で閉塞され、容器を基板の支持台の嵌合部にセットして容器のガス噴出口と基板のガス通口とを位置合わせし、その容器の外周に押し具の湾曲部を被せ、押し具の止め穴から基板の支持台の止め部のネジ穴にネジをネジ込んで容器を基板に固定し、基板の裏面の分岐器配置部に、ガス通口から流れ込むガスを二方向以上に分岐する分岐器を配置固定し、前記係止具が摺動具の係止凹部から離脱されると摺動具がスプリングで押されて摺動してガスカートリッジも摺動し、ガスカートリッジに容器の収容部内の撃針が突き刺さってガスカートリッジ内のガスが噴出するようにしてある。
【０００９】
【発明の実施の形態】
本発明のガス発生装置用ケースとそれを利用したガス発生装置の実施形態を図面に基づいて以下に説明する。図１のガス発生装置用ケースは、容器１と基板２と押し具３とを備えている。容器１は図２に示すように硬質樹脂により筒状に形成され、内部が中空の収容部４であり、長手方向一端を先細りとし、その内部にガイド突子６が内側に突出するように形成され、他端に蓋７をネジ式で脱着自在としてある。蓋７の内面には撃針８が突設されている。
【００１０】
図１のように、容器１の上面には係止具差込口９が開口されている。容器１の長手方向他端寄り底面には、容器１の周方向に細長のガス噴出口１０（図２）が開口されている。容器１の先細り端部５の外周面には押し具３を嵌める嵌合溝１１が形成され、容器１の長手方向反対側端部の両側面に位置決め凹部１２が形成されている。この位置決め凹部１２に押し具３を嵌めると、容器のガス噴出口１０が真下を向くように強制されるようにしてある。
【００１１】
図２の容器１の収容部４内には、スプリング２１、ガスカートリッジ（ガスボンベ）２２、摺動具２３が収容されている。ガスカートリッジ２２は径の細い口部２４が摺動具２３の穴にネジ込まれて固定されている。ガスカートリッジ２２の内部に充填されるガスには例えば炭酸ガス（ＣＯ２）及び窒素ガス（Ｎ２）が使用される。
【００１２】
スプリング２１は圧縮状態で収容部４内に収容され、一端がガイド突子６の外側に被せられ、他端がガスカートリッジ２２の底面に接触して、ガスカートリッジ２２を常に図２の左側（撃針８側）に押している。摺動具２３は収容部４内にその軸方向（図２の左右）にスライド可能に収容されているが、通常は球状の係止具２５により容器１に係止されている。
【００１３】
図１の係止具２５は球体２６から止め片２７が突設されており、止め片２７にワイヤ、チェーン等の索条２０の一端が取付けられている。係止具２５は図３（ａ）のように球体２６を金属製の円形のリング２８の内側に下方から差込んだ状態で、図３（ｂ）のように容器１の係止具差込口９内に差込まれている。リング２８の内径は図３（ｂ）の状態の球体２６がリング２８から上方に抜けない大きさにしてある。図３（ｂ）の状態の球体２６の底面側は摺動具２３の係止凹部２９に嵌合しており、更に、図２のようにスプリング２１によりガスカートリッジ２２が（図２の左側）に押され、摺動具２３が同方向に押されているため、リング２８が同方向に押されて、図２、図３（ｃ）のように容器１の係止具差込口９の口縁部３０に係止して、通常は係止具差込口９から抜けないようにしてある。これにより、摺動具２３は図２の位置に固定され、球体２６はリング２８内で３６０度いずれの方向にも回動可能な首振り状態となる。
【００１４】
前記基板２も硬質樹脂製であり、図１に示すように横長の板材の長手方向一端側がくの字状に曲げられており、その両端部に装着穴３１が形成されている。基板２の表面の長手方向両端寄りには容器１をのせる支持台３２、３３が突設され、支持台３２、３３の長手方向中央部にはケース１の底面側をセットできる嵌合部３４が凹嵌して形成され、嵌合部３４の両外側に止め部３５が肉厚に形成されて嵌合部３４よりも上方まで突出しており、その止め部３５にネジ穴３７が形成されている。一方の嵌合部３４には容器１のガス噴出口１０と連通するガス通口３６が開口されて折り、その嵌合部３４の上面にはゴム板、樹脂板などの弾性材（滑り止め）３９が貼り付けられている。
【００１５】
基板２の裏面には、図４に示すようにガス分岐器配置部３８と、ガスホース配管用の凹溝１９とが形成されている。ガス分岐器配置部３８は基板２の長手方向一端寄りに形成されており、ガス分岐器配置部３８には三角形のパッキン配置凹溝４０と、ネジ孔４２が形成されている。ガスホース配管用の凹溝１９は基板２の裏面のガス分岐器配置部３８の両側に、基板２の長手方向に沿って細長に形成されている。基板２の裏面で、ガスホース配管用の凹溝１９の両外側には肉厚のウレタンとかゴムなどの弾性材４３が接着剤で固定されている。
【００１６】
図１の押し具３は基板２の支持台３２、３３の上にセットした容器１の外周に被せて容器１を基板２に固定するためのものである。押し具３には容器１の外周の嵌合溝１１に被せる嵌合溝用の押し具３と、容器１の位置決め凹部１２に被せる位置決め凹部用の押し具３とがある。両押し具３は被せる嵌合溝１１の外形寸法、位置決め凹部１２の外形寸法に合わせたサイズの湾曲部４４が形成され、湾曲部４４の両外側に止め部４５が形成され、両止め部４５に止め穴４６が縦向きに形成されている。
【００１７】
本発明のガス発生装置は図１〜図６のように組立てられている。
基板２の支持台３２、３３の嵌合部３４に容器１をのせてセットし、その容器１の外周の嵌合溝１１に嵌合溝用の押し具３を被せ、容器１の位置決め凹部１２に位置決め凹部用の押し具３を被せて、それら押し具３の止め穴４６から基板２の止め穴３７にネジ５６（図１）をねじ込んで容器１を基板２に固定する。この場合、容器１の位置決め凹部１２に位置決め凹部用の押し具３を被せることにより容器１の向きが強制されて、容器１のガス噴出口１０が自動的に基板２のガス通口３６と位置合わせされる。
【００１８】
図５のように、基板２の裏面のパッキン配置凹溝４０内にゴムパッキン４７を圧入し、その下にガス分岐器４８をあてがい、ガス分岐器４８の止め穴５７（図１）から基板２のネジ穴４２（図４）にネジ５８をねじ込んでガス分岐器４８を基板２に固定してある。
【００１９】
本発明のガス発生装置は例えば図７、図８のようなジャケット５０に装着して使用される。図７、図８のジャケット５０はオートレーサーが着用するためのものであり、通気性のない布材で形成されており、内部にガス発生装置を収容可能な収容部（ポケット）が形成され、その収容部にベルトが縫い付けられている。また、ジャケットにはその前面両側から肩越しに後面両側まで連続する前後ガス充填空間５１が形成され、下端周囲に腰周りガス充填空間５２が形成され、襟の部分に襟周りガス充填空間５３が形成され、それら各空間５１、５２、５３にガスホースの一端が配管されている。
【００２０】
このジャケット５０に本発明のガス発生装置を装着するには、図７のようにジャケット５０の収容部内にガス発生装置６０を収容し、ジャケット５０に縫い付けてあるベルトをガス発生装置６０の基板２の装着穴３１に通してガス発生装置６０を収容部内に固定する。また、前記ガスホースの他端を収容部内に収容固定されたガス発生装置６０の四つのガス分岐口５５に接続しておく。
【００２１】
オートレーサーが図７のようにガス発生装置６０を装着したジャケット５０を着用してオートバイに乗るときは、ガス発生装置６０から引き出されている索条２０の端部をオートバイに連結しておく。この状態で、走行中にオートバイが転倒すると、オートバイとオートレーサーとの距離が離れるため、索条２０が急激に強く引かれて係止具２５も強く引かれ、係止具２５とリング２８が同時にケース１の係止具差込口９から抜け出て摺動具２３から離脱し、摺動具２３の係止が解除され、スプリング２１で押されている摺動具２３が急激に摺動し、それに伴って摺動具２３に取付けてあるガスカートリッジ２２も同方向に移動し、ガスカートリッジ２２の口部２４に撃針８が突き刺さり、ガスカートリッジ２２の口部２４の薄膜が撃破されて内部のガスが噴出する。噴出したガスはケース１のガス噴出口１０に流出し、基板２のガス通口３６を通ってガス分岐器４８に流れ込み、ガス分岐器４８の四つのガス分岐口５５に分流し、それぞれのガス分岐口５５からガスホースを通して、ジャケットの２つの前後ガス充填空間５１、腰周りガス充填空間５２、襟周りガス充填空間５３の四箇所に充填され、それら各ガス充填空間５１、５２、５３が同時に膨らむ。この膨らみより身体の上半身の前後、腰回り、首の周囲が衝撃から保護される。前記係止具２５の離脱からジャケット５０へのガス充填時間は瞬時（１／１０秒〜数秒）である。
【００２２】
本発明のガス発生装置は飛行機用、船舶用などの緊急時に着用する救命胴衣に予め装着しておき、緊急時に救命胴衣を着用してから着用者が索条２０を強く引いて係止具２５を摺動具２３から外せば、前記の場合と同様にガス発生装置からガスが発生し、そのガスが救命胴衣のガス充填部に瞬時に充填し、ガス充填部が膨らみ、救命胴衣に浮力が付与されて着用者が保護される。
【００２３】
本発明のガス発生装置は救命用ボート、浮き輪などの救命用具に使用することもできる。この場合は、ガス発生装置を救命用具に予め装着しておき、緊急時に索条を強く引いて係止具を摺動具から外せば、前記の場合と同様にガス発生装置からガスが発生し、そのガスが救命用具のガス充填部に瞬時に充填し、ガス充填部が膨らんで救命用具を水上に浮かべて使用することができる。
【００２４】
本発明のガス発生装置は前記用途の他、陸上、海上、空中のあらゆる箇所での緊急時に使用できるのは勿論のこと、緊急時以外でもバイク、車輌等のタイヤへの空気入れ、エアーバック等へのガス充填等に使用することもできる。
【００２５】
使用済み後のガス発生装置は、図１の容器１の蓋７を開けて容器１内のガスカートリッジ２２を交換し、摺動具２３に係止具２５をセットすれば、繰り返し使用することができる。
【００２６】
【発明の効果】
本発明のガス発生装置用ケースは次のような効果がある。
１．容器を取付ける基板に、容器を載せる支持台が形成され、支持台に容器の底面側をセット可能な嵌合部があるため、容器が安定する。
２．嵌合部の両外側に形成された止め部が肉厚に形成されて嵌合部よりも上方まで突出し、その止め部にネジ穴が形成されているので、ネジ穴を長くすることができ、押し具の止め穴からネジ込まれたネジの締め付けが強くなり、基板への容器の固定が確実になり、衝撃を受けても容器が基板から外れず、ガスが確実に噴出する。
３．押し具に、容器の外周に被せる湾曲部が形成されているので、押し具による容器の押し付けが確実になり、衝撃を受けても容器が基板から外れず、ガスが確実に噴出する。
４．基板の裏面にガス分岐器配置部が形成されたので、底にガス分岐器を配置することができ、ガス分岐器の配置が整然とする。
５．基板の裏面にガス分岐器により分岐されたガスを外部に導出するガスパイプを配置するパイプ配管部が形成されたので、ガスパイプがパイプ配管部に配置され、ガスパイプが基板の外側にはみ出すことがなく、整然とした配管ができ、ジャケットに装着しても邪魔にならない。
６．前記パイプ配管部が、基板の裏面に取り付けられた弾性材の内側に形成されたので、ガスパイプがより一層、整然と配管される。
７．基板に、救命具に装着可能な装着部が形成されたので、ガス発生装置をジャケットに装着し易くなる。
【００２７】
本発明のガス発生装置は次のような効果がある。
１．基板への容器の固定が確実であるため、係止具の索条が急激に引かれたときに、係止具が摺動具の係止凹部から確実に離脱でき、容器の係止具差込み口から確実に抜け、ガスの噴出が確実になる。
２．ジャケットや救命具などへのガスの充填が瞬時に且つ確実に行なわれるので、緊急用として特に適する。
【図面の簡単な説明】
【図１】本発明のガス発生装置の分解斜視図。
【図２】図１のガス発生装置の縦断面図。
【図３】（ａ）は図１のガス発生装置の係止具の斜視図、（ｂ）は（ａ）の係止具をリングに嵌め込んで容器の外から摺動具の係止凹部に差込んだ状態の側面断面図、（ｃ）は摺動具がスプリングで押されることにより摺動具の係止凹部に差込んだ係止具が側方に押されてケースの差込み口周壁の下に係止した状態の断面図。
【図４】図１のガス発生装置の基板の裏面図。
【図５】図１のガス発生装置の基板の裏面にガス分岐器を取付けた状態の裏面図。
【図６】図２のガス発生装置のＡ−Ａ縦断面図。
【図７】本発明のガス発生装置を装着したジャケットの一例を示す正面図。
【図８】図７のジャケットの背面図。
【符号の説明】
１　容器
２　基板
３　押し具
４　収容部
７　蓋
８　撃針
９　係止具差込口
１０　ガス噴出口
１１　嵌合溝
１２　位置決め凹部
２０　索条
２１　スプリング
２２　ガスカートリッジ
２３　摺動具
２５　係止具
５０　ジャケット
６０　ガス発生装置
【図１】
2004105620.tif 000003
【図２】
2004105620.tif 000004
【図３】
2004105620.tif 000005
【図４】
2004105620.tif 000006
【図５】
2004105620.tif 000007
【図６】
2004105620.tif 000008
【図７】
2004105620.tif 000009
【図８】
2004105620.tif 000010